(57)【特許請求の範囲】
【請求項１】
機内にセットした遊技盤(1)の遊技領域内の各部に遊技球用の各種の遊技部品(4,6,7)を配置すると共に、遊技領域に臨む裏側の所定位置に主要な遊技部品(14)を装備したパチンコ遊技機にあって、
前記遊技盤(1)裏面の所定位置に合わせて取着される合成樹脂成形の排出カバー体(A)と、この排出カバー体(A)に一体成形されたセット台部(B)と、前記主要な遊技部品(14)を内蔵してセット台部(B)に着脱可能にセット保持される合成樹脂成形のケース体(C)とを備え、
前記排出カバー体(A)では、中央部に前記ケース体(C)に適した広さの窓口(22)を形成すると共に、この窓口(22)の周囲に前記各種の遊技部品(4,6,7)に入って裏側に通出される遊技球の排出樋(23,24,25,26)を成形し、前記セット台部(B)では、窓口(22)に臨む両側の所定部位に位置決め用の嵌合部(52,57)および長方形状に形成された係合孔(54,59)を有する保持台(50,55)を成形し、前記ケース体(C)では、前記主要な遊技部品(14)を内蔵保護するに適した形状・サイズに成形された前ケース部(61)と後ケース部(62)とを組付けて構成する一方、一方のケース部(61)の両側に成形した支持部(64,70)の所定部位に、位置決め用の嵌合部(66,72)と長方形状に形成された支持孔(68,74)および排出カバー体(A)から離間する面側で支持孔(68,74)を中心とする凹状の円形凹部(76,76)を成形すると共に、該円形凹部(76,76)に整合する直径に形成された円盤状の係着盤(82)および該係着盤(82)から延出して前記支持孔(68,74)に挿脱可能な係合部(86)を有する指先操作式で弾性変形可能な合成樹脂成形の回動施錠具(80)を、支持孔(68,74)に係合部(86)を挿通した後に回動して係合することで予じめ組付け、
前記遊技盤(1)裏面に取着された排出カバー体(A)の窓口(22)に合わせて前記主要な遊技部品(14)をケース体単位で装着するにあたり、前記セット台部(B)両側の保持台(50,55)に対して前記ケース体(C)両側の支持部(64,70)を整合して、双方の嵌合部(52,57/66,72)を着脱可能に嵌合すると共に、支持部(64,70)に組付けられた状態で係合孔(54,59)に係合部(86)が整合する回動施錠具(80)を、係合孔(54,59)に係合部(86)を挿通した後に回動して前記円形凹部(76,76)に係着盤(82)が整合した状態で係合することで、排出カバー体(A)にケース体(C)をビス止め不要な条件でセット保持し得るようにし、
長方形状に形成された前記係合孔(54,59)と支持孔(68,74)とは長辺の向きが９０度異なるよう設定されると共に、前記回動施錠具(80)における係合部(86)の正面輪郭が、係合孔(54,59)および支持孔(68,74)の長方形状に整合して挿通し得る長方形状に形成され、前記係合部(86)を支持孔(68,74)に整合して挿通した後に回動施錠具(80)を９０度回動することで、該係合部(86)が支持部(64,70)に係合して回動施錠具(80)がケース体(C)に組付けられ、この状態で係合孔(54,59)に整合する係合部(86)を係合孔(54,59)に挿通した後に回動施錠具(80)を９０度回動することで、該係合部(86)が保持台(50,55)に係合してケース体(C)が排出カバー体(A)に対してセットされるようにし、
前記回動施錠具(80)における係合部(86)の基部(83)は、係合部(86)を支持孔(68,74)に整合して挿通した姿勢における縦および横の幅が、支持孔(68,74)の短辺の幅と略同一に設定された正面輪郭が正方形状に形成され、
前記回動施錠具(80)の係合部(86)は、基部(83)の先端に正面輪郭が長方形状をなす鉤部(84)が成形された２組の係着片(85,85)からなり、係合部(86)を支持孔(68,74)に整合した姿勢において各鉤部(84)の長辺が支持孔(68,74)の長辺に沿う姿勢で両係着片(85,85)が支持孔(68,74)の短辺方向に所定間隔をおいて平行に形成されて、回動施錠具(80)を９０度回動するときに各基部(83)が弾性変形して撓むことにより互いの鉤部(84,84)が近接するよう構成される
ことを特徴とするパチンコ遊技機用の裏セット部材。
【発明の詳細な説明】
【０００１】
【発明の属する技術分野】
この発明は、パチンコ遊技機用の裏セット部材に係り、更に詳しくは、遊技機内に交換可能にセットされる遊技盤の裏側に取着される裏セット部材に関するものである。
【０００２】
【従来の技術】
この種の遊技機の代表例の一つであるパチンコ機(主として図柄表示型式を例とする)では、機内にセットされる遊技盤に必要な遊技部品として、各種の入賞器具、図柄表示装置、装飾具等が配設されており、また「球寄せカバー、球案内樋」とも呼ばれている適宜形状,サイズの球排出部材が取着されている。そしてパチンコゲームにおいて、各々の入賞器具に入って遊技盤裏側へ通出されるセーフ球を、当該の球排出部材により適宜区分しながら機構セット盤のセーフ球処理部側へ排出するようになっている。一方、上記図柄表示装置については、遊技者にとって有利な特別遊技条件を成立させるための主要な遊技部品として、図柄ドラムや絵柄リールに代表される機械的回転表示形態のものや発光ダイオード,液晶および蛍光管に代表される電子的制御表示形態のものが、ゲーム内容に応じて使用されている。そして何れの形態にあっても、遊技盤前面に装着された表示窓枠体の裏側に装着セットされ、その図柄表示域(ディスプレー域)を前面に臨ませている。
【０００３】
【発明が解決しようとする課題】
ところで従来から実施されているパチンコ機にあっては、選定された球排出部材と、主要遊技部品である図柄表示装置とが、遊技盤裏側の個々の位置に別々に組付けセットされている。すなわち球排出部材については、遊技領域に対応する範囲にビス等で位置決めセットされて、各々の排出樋(路)を夫々の入賞器具の出口に合わせており、また図柄表示装置については、所定の箱形サイズのカバーやケース等の保護部材内に収容定置されてユニット化され、その図柄表示域を表示窓枠体の窓口に臨ませた状態で、遊技盤の裏側からビス等で位置決めセットされるようになっている。言換えると、従来から使用されている球排出部材は、位置決めセットされる一つの部材でありながら、図柄表示装置を組付けセットし得る形態でもなく、またその機能もなかった。このため、球排出部材と図柄表示装置との一体化、つまり該球排出部材に対して予じめ図柄表示装置を組付けセットして一つにユニット化しておくことができず、別々に取扱い、保管しなければならない。また遊技盤の製作においては、双方を個々に組付けなければならないために、作業の簡素化、特に機械的(自動的)な組付けを図ることができない。そして、図柄表示装置の点検,交換等に際しては、同装置の着脱に手間が掛かり煩わしい、等の多くの問題が指摘されていた。
【０００４】
【発明の目的】
本発明は、前述した課題を好適に解決するべく提案されたものであって、各種の遊技部品を配設した遊技盤の裏側へ通出される遊技球(セーフ球を含む)を排出案内し得ると共に、裏側に位置する主要な遊技部品を手早く簡単に組付けセットし得るようにしたパチンコ遊技機用の裏セット部材を提供することを目的とするものである。
【０００５】
【課題を解決するための手段】
前記課題を克服し、所期の目的を達成するため、本発明に係るパチンコ遊技機用の裏セット部材は、
機内にセットした遊技盤の遊技領域内の各部に遊技球用の各種の遊技部品を配置すると共に、遊技領域に臨む裏側の所定位置に主要な遊技部品を装備したパチンコ遊技機にあって、
前記遊技盤裏面の所定位置に合わせて取着される合成樹脂成形の排出カバー体と、この排出カバー体に一体成形されたセット台部と、前記主要な遊技部品を内蔵してセット台部に着脱可能にセット保持される合成樹脂成形のケース体とを備え、
前記排出カバー体では、中央部に前記ケース体に適した広さの窓口を形成すると共に、この窓口の周囲に前記各種の遊技部品に入って裏側に通出される遊技球の排出樋を成形し、前記セット台部では、窓口に臨む両側の所定部位に位置決め用の嵌合部および長方形状に形成された係合孔を有する保持台を成形し、前記ケース体では、前記主要な遊技部品を内蔵保護するに適した形状・サイズに成形された前ケース部と後ケース部とを組付けて構成する一方、一方のケース部の両側に成形した支持部の所定部位に、位置決め用の嵌合部と長方形状に形成された支持孔および排出カバー体から離間する面側で支持孔を中心とする凹状の円形凹部を成形すると共に、該円形凹部に整合する直径に形成された円盤状の係着盤および該係着盤から延出して前記支持孔に挿脱可能な係合部を有する指先操作式で弾性変形可能な合成樹脂成形の回動施錠具を、支持孔に係合部を挿通した後に回動して係合することで予じめ組付け、
前記遊技盤裏面に取着された排出カバー体の窓口に合わせて前記主要な遊技部品をケース体単位で装着するにあたり、前記セット台部両側の保持台に対して前記ケース体両側の支持部を整合して、双方の嵌合部を着脱可能に嵌合すると共に、支持部に組付けられた状態で係合孔に係合部が整合する回動施錠具を、係合孔に係合部を挿通した後に回動して前記円形凹部に係着盤が整合した状態で係合することで、排出カバー体にケース体をビス止め不要な条件でセット保持し得るようにし、
長方形状に形成された前記係合孔と支持孔とは長辺の向きが９０度異なるよう設定されると共に、前記回動施錠具における係合部の正面輪郭が、係合孔および支持孔の長方形状に整合して挿通し得る長方形状に形成され、前記係合部を支持孔に整合して挿通した後に回動施錠具を９０度回動することで、該係合部が支持部に係合して回動施錠具がケース体に組付けられ、この状態で係合孔に整合する係合部を係合孔に挿通した後に回動施錠具を９０度回動することで、該係合部が保持台に係合してケース体が排出カバー体に対してセットされるようにし、
前記回動施錠具における係合部の基部は、係合部を支持孔に整合して挿通した姿勢における縦および横の幅が、支持孔の短辺の幅と略同一に設定された正面輪郭が正方形状に形成され、
前記回動施錠具の係合部は、基部の先端に正面輪郭が長方形状をなす鉤部が成形された２組の係着片からなり、係合部を支持孔に整合した姿勢において各鉤部の長辺が支持孔の長辺に沿う姿勢で両係着片が支持孔の短辺方向に所定間隔をおいて平行に形成されて、回動施錠具を９０度回動するときに各基部が弾性変形して撓むことにより互いの鉤部が近接するよう構成されることを特徴とする。
【０００６】
【作用】
裏セット部材における排出カバー体の窓口の左右両側にセット台部を一体成形すると共に、このセット台には嵌合部および係合部を有する保持台が成形してある。また、主要な遊技部品を内蔵するケース体には、ケース部の両側に成形した支持部の所定部位に、位置決め用の嵌合部と、係合部を有する回動施錠具が組付けられる。そして、前記主要な遊技部品を内蔵したケース体を排出カバー体の窓口に整合し、保持台の嵌合部と支持部の嵌合部を整合して嵌合させ、該保持台の係合部と回動施錠具の係合部とを整合させると共に該施錠具を指先操作により適宜回動させて両係合部を係合させることにより、主要な遊技部品が窓口内の所定位置に位置決め固定されたユニット化部材として取扱い得る。このユニット化された裏セット部材を遊技盤裏面の所定位置に取着セットすることにより、遊技球(セーフ球を含む)の好適な排出案内がなされると共に、前記主要な遊技部品が遊技領域における所定位置に臨むようになる。また、機械的なビス止め作業が可能となるので、遊技盤の裏作業の合理化、ひいては製作工程の簡素化(簡素簡略化)を図り得る。
【０００７】
【発明の実施の形態】
次に、本発明に係るパチンコ遊技機用の裏セット部材につき、好適な実施例を挙げて添付図面を参照しながら以下詳細に説明する。
【０００８】
本実施例のパチンコ機は、その全体の基本的な構成として、図１に略示するように、外郭保持枠をなす外枠１１０の開口前面側に、開閉搭載枠をなす前枠１１１が開閉および着脱可能に組付けられている。この前枠１１１には、各種遊技構成部材として、窓枠、上下の球皿、打球発射装置および各種の遊技部品等を配設した後述の遊技盤１等が装着されている。前枠１１１の裏側には、遊技盤１側で発生したアウト球およびセーフ球、そして賞球の処理用の経路や装置および電気的な機器等を集約的に装備した機構セット盤１１２が、着脱可能に装備されている。この機構セット盤１１２には、中央部に遊技盤裏面点検用の窓口１１３が開口され、この窓口１１３の周囲各部の内側にアウト球排出経路１１４およびセーフ球排出処理部１１５が構成され、外側には賞球貯留放出部１１６と賞球排出経路１１７等が構成されている。なお前記窓口１１３には、遊技盤１裏側に装着した後述の裏セット部材２０を覆蓋する裏カバー(図示せず)が開閉可能に取着される。
【０００９】
前記遊技盤１では、図２および図３に略示するように、円形状のレール２内の遊技領域における縦央最下部にアウト口１３が形成されており、一方各種の遊技部品として、縦央上端部に入賞具(遊技部品)４および図柄表示具５を設けた表示枠体３と、始動入賞具(遊技部品)６と左右の普通入賞具(遊技部品)７,７、そして左右に普通入賞具９,９を成形した特別入賞装置８が夫々配設されて、これらの入賞用部品に入ったセーフ球が当該の出口から遊技盤１の裏側へ通出されるようになっている。またこの他に、通常の回転案内具(風車)１０,１０やランプ付き回転案内具１１,１１等が、所定位置に配置されている。一方遊技盤１の裏側において、図柄表示装置(主要な遊技部品)１４が表示枠体３の裏側に合わせて装備されている。この図柄表示装置１４については、電子制御処理に基いて図柄変動表示し得る公知の液晶画像表示タイプのものが例とされ、必要な構成部材が後述する保護ケース(ケース体)Ｃ内に収納されて１つの表示ユニットで取扱い得るようになっている。なお、この図柄表示装置１４の組付け等については、後に詳述する。
【００１０】
前述した遊技盤１に好適に実施される本実施例の裏セット部材２０は、セーフ球の排出案内と前記図柄表示装置１４の簡単な組付けセットとを可能にし得るもので、図３および図４に示すように、概要として排出カバー体Ａとセット台部Ｂとを合わせて合成樹脂成形した１つのカバーセット部材に構成されている。そこでこのような裏セット部材２０において、先ず排出カバー体Ａでは、図示のように遊技盤１の主要部裏面に対応し得る方形枠サイズに成形された本体２１において、図柄表示装置１４と干渉しない方形開口広さの窓口２２が成形されており、この窓口２２に沿った周囲部に、斜状の通路２３ａ,２４ａを有する上下の横樋(排出樋)２３,２４と、通路２５ａ,２６ａを有する左右の縦樋(排出樋)２５,２６が成形されて、これらが互いに平面直角状に連設されている。また下の横樋２４の下部に、前記特別入賞装置８と干渉しない開口広さの口２７が成形されており、そして両側の縦樋２５,２６の外側縁上下部に、取着片２８,２８が一体に成形されている。なお、双方の縦樋２５,２６の通路２５ａ,２６ａ内に複数個の緩衝片２９,２９が上下千鳥状に配設されており、また下の横樋２４の下流端に成形された口３０に、前記始動入賞具６に対する検出スイッチ１８が着脱可能に組付けられている。
【００１１】
そしてこの排出カバー体Ａにおいて、左の縦樋２５の背面(外面)中段部に、中継基板用の設置部３１が成形されている。この設置部３１は、大きさが異なる２種類の中継基板を設置可能とし得るもので、図４に示すように、所定の縦長方形枠状に成形された枠座３２の下端に、中継基板の下端縁の差込み口３４を有する嵌合座３３が成形され、また枠座３２の上端および中央上部に、ビス孔付きの第１,第２のボス部３５,３６が１個ずつ突設されている。これによりこの設置部３１では、主体となる枠座３２および嵌合座３３に中継基板を当て合わせて固支するもとで、第１ボス部３５を利用して大型(長尺)の第１種中継基板(図示せず)をビス止めし得、また第２ボス部３６を利用して小型(短尺)の第２種の中継基板(図示せず)をビス止めし得るようになっており、何れの中継基板も１個のビスの締付け作業で手早く簡単にセットし得るようになっている。ちなみに各種の中継基板は、予じめ設置部３１にセットしておくことも可能であり、各種の遊技部品における電気部品(例えばランプ基板,スイッチ,ソレノイド等)に係る各種タイプのコネクタが配置接続されている。
【００１２】
また前記本体２１の各部に、配線処理用の挿通保持部３７が一体に成形されている。この挿通保持部３７は、配線を内外方向から挟み込むように挿通して抜止めし得るもので、具体的には図４,図５,図７および図１０等に示すように、外側向きに開口した挿通口３９を有する鈎形のホルダ３８と、内側向き(遊技盤裏面向き)に突出されたフック状の掛止片４０とが単位例とされて、上の横樋２３および左右の縦樋２５,２６の各周縁部分に所要数ずつ配設されている。これにより電気部品(従来のランプ基板)と中継基板とに適宜のコネクタを介して接続されるようにした配線については、裏セット部材２０の取着セット前の段階において、予じめ各々の挿通保持部３７に挿通しておくことができる。また電気部品(ランプ基板)にハンダ付け接続されて中継基板に適宜のコネクタを介して接続されるようにした配線については、裏セット部材２０の取着セット後において、所要位置の挿通保持部３７に挿通して伸張状態に保持できる。
【００１３】
なお、排出カバー体Ａにおけるその余の構成として、図４に示すように、左の縦樋２５の背面上,下部に配線用の保持片４１,４１が成形され、また上の横樋２３の下縁に前記表示枠体３の裏面に対する当接片４２が、口２７の左右内周縁にセーフ球用の球止め片４３,４３が夫々成形されている。そして、本実施例の裏セット部材２０が遊技盤１の裏面に右側基準でセットされる例にあって、右側上下の取着片２８,２８に遊技盤１裏面に成形される基準座孔(図示しない)に対する位置決め部４４,４４が成形されると共に、裏機構セット盤における裏カバー(共に図示しない)のための係合筒４５,４５が突出成形されている。
【００１４】
一方前記セット台部Ｂでは、図４〜図８に示すように、前述した排出カバー体Ａの窓口２２の内側左右に成形された第１,第２の保持台５０,５５を備えている。左側の第１保持台５０については、前記左の縦樋２５の右側縁から一体に成形された縦長の台板５１の上,下端に、球頭ボス状の嵌合片(嵌合部)５２,５２が外向きに突設されており、また台板５１の中央部右縁に後述する回動施錠具８０の鉤部８４が係合する縦長方形状の係合孔(係合部)５４を有する係合片５３が一体に成形されている。これに対して右側の第２保持台５５は、前記第１保持台５０と対称的に形成されており、前記右の縦樋２６の左側縁から一体に成形された縦長の台板５６の上,下端に、球頭ボス状の嵌合片(嵌合部)５７,５７が外向きに突設されており、また台板５６の中央部左縁に後述する回動施錠具８０の鉤部８４が係合する縦長方形状の係合孔(係合部)５９を有する係合片５８が一体に成形されている。そしてこのようなセット台部Ｂに対して、後述する保護ケースＣが着脱可能に組付けられるようになっている。
【００１５】
前記保護ケースＣについては、図４〜図８に示すように、前面開口されて前記図柄表示装置１４を内蔵する前ケース６１と、前面開口されて該表示装置１４の制御基盤１５を内蔵保護する後ケース６２とが、互いのボス部６１ａ,６２ａを利用してビス６３で組付け整合されるタイプのものが例とされており、該前ケース６１の左右外側に一体的に成形された第１,第２の支持部６４,７０を備えている。左側の第１支持部６４については、縦長の支持片６５の上,下に前記第１保持台５０に突設した嵌合片５２,５２が嵌合する嵌合孔(嵌合部)６６,６６と、支持孔６８を有する支持片６７とが成形されており、この支持孔６８に回動施錠具８０が予じめ組付けられるようになっている。また、右側の第２支持部７０については、前記第１支持部６４と対称的に形成されており、縦長の支持片７１の上,下に前記第２保持台５５に突設した嵌合片５７,５７が嵌合する嵌合孔(嵌合部)７２,７２と、支持孔７４を有する支持片７３とが成形されており、この支持孔７４に前記回動施錠具８０が予じめ組付けられるようになっている。なお、前記各支持孔６８,７４は横長方形状に開口され、その上下端近傍にスリット７５,７５が横方向に延在した状態に形成されていると共に、各支持片６７,７３には該支持孔６８,７４を中心とした所要径の円形凹部７６,７６が形成されている。前記スリット７５,７５は、支持孔６８,７４の長辺部内端面が半径外方へ適宜拡開変形することを許容するために設けられている。
【００１６】
前記回動施錠具８０は、合成樹脂成形されて指先操作し得る摘み形態のものが例とされ、図８および図９に示すように、回動操作用の摘み部８１と、円錐吸盤状の係着盤８２と、該係着盤８２から延出した基部８３の先端部に幅広の鉤部８４が成形された２組の係着片８５,８５からなる係合部８６で形成されている。これら係着片８５,８５は、適宜の間隔をおいて平行に形成されており、夫々の基部８３,８３が弾性変形して撓むことにより、互いの鉤部８４,８４が近接するようになっている。また両鉤部８４,８４は、前記係合孔５４,５９および支持孔６８,７４の長方形状を前提として、その正面輪郭が長方形状に形成されており、図１０(ｂ)および図１１(ｂ)に示すように、該係合孔５４,５９および該支持孔６８,７４に整合しながら挿通し得るようになっている。また前記係着盤８２は、前記円形凹部７６に整合する直径に形成され、円錐状の常態から平面状に弾性変形し得るようになっている。
【００１７】
そして、このように形成された回動施錠具８０は、前記保護ケースＣにおける第１支持部６４の支持孔６８と第２支持部７０の支持孔７４に、予じめ組付けておく。すなわち第１支持部６４では、図１０(ｂ)に示すように、回動施錠具８０の係合部８６における鉤部８４,８４を、支持孔６８に整合して挿通させた後に９０度回動させることにより、図１０(ａ)に示すように、該鉤部８４,８４が縦長方形姿勢に変位して横長方形状の該支持孔６８に係合されるに至る。同じく第２支持部７０では、図１０(ｂ)に示すように、回動施錠具８０の係合部８６における鉤部８４,８４を、支持孔７４に整合して挿通させた後に９０度回動させることにより、図１０(ａ)に示すように、該鉤部８４,８４が縦長方形姿勢に変位して横長方形状の該支持孔６８に係合される。なお第１支持部６４および第２支持部７０に組付けられた回動施錠具８０は、前記係着盤８２と鉤部８４,８４とにより、前後方向へ適宜がたつきのある状態で脱落不能に組付けられる。
【００１８】
また、前記回動施錠具８０,８０を組付けた前記保護ケースＣを、前記裏セット部材２０の窓口２２に所定の向きに位置決めすると、該回動施錠具８０,８０の係合部８６,８６が、セット台部Ｂにおける第１保持台５０および第２保持台５５の係合孔５４,５９に挿通するようになる。すなわち、第１支持部６４および第２支持部７０の各支持孔６８,７４に組付けた回動施錠具８０,８０は、前述すると共に図１０(ａ)に示すように、夫々の鉤部８４,８４を縦長方形姿勢に変位した状態となっており、図１１(ａ)および図１２に示すように、縦長方形状に開口した前記係合孔５４,５９に好適に整合して挿通するようになっている。そして、係合部８６が係合孔５４(５９)に挿通された状態において、回動施錠具８０を更に９０度回動させると、図１１(ｂ)および図１３に示すように、鉤部８４,８４が横長方形姿勢に変位して係合孔５４(５９)に係合するようになる。
【００１９】
これにより、第１保持台５０と第１支持部６４、第２保持台５５と第２支持部７０は、回動施錠具８０における係着盤８２と係合部８６における鉤部８４,８４とにより係着され、保護ケースＣは裏セット部材２０の窓口２２にセット保持されるに至る。なお、前記回動施錠具８０の前述した係着状態においては、鉤部８４,８４と係合孔５４(５９)との係合下に係合部８６が軸方向へ移動するようになり、前記係着盤８２は、外周縁が円形凹部７６に当接すると共に中央部が若干の弾性変形した状態となるように設定されている。従って、前記第１保持台５０と第１支持部６４、第２保持台５５と第２支持部７０は、夫々の回動施錠具８０における前記係着盤８２と鉤部８４,８４の弾性的な係合作用と、前記嵌合片５２と嵌合孔６６、嵌合片５７と嵌合孔７２の夫々の嵌合作用の下に、密着的に押圧させた状態で極めて好適に係着され、保護ケースＣは裏セット部材２０に対してがたつきが全くない状態でセット保持されるようになっている。
【００２０】
【実施例の作用】
次に、前述のように構成された本実施例のパチンコ遊技機用の裏セット部材の作用として、実施の形態,取扱い,設置(組付け)および球排出等の状態につき説明する。
【００２１】
本実施例の裏セット部材２０は、通常の状態としてセット台部Ｂに対して図柄表示装置１４を内蔵した保護ケースＣの両側に形成された第１支持部６４および第２支持部７０を係合および施錠したもとで、排出カバー部Ａに同装置１４がセットされた１つのユニット化部材として取扱い得ると共に保管できる。具体例として第１保持台５０と第１支持部６４との組付けでは、図４,図６および図８に示すように、上,下の嵌合孔６６,６６に上,下の嵌合片５２,５２が嵌合されると共に、該第１支持部６４の支持孔６８に予じめ組付けられた回動施錠具８０における係合部８６の鉤部８４,８４が、係合孔５４に整合して挿通するに至る。一方、第２保持台５５と第２支持部７０との組付けでは、図４,図７,図１２および図１３に示すように、上,下の嵌合孔７２,７２に上,下の嵌合片５７,５７が嵌合されると共に、該第２支持部７０の支持孔７４に予じめ組付けられた回動施錠具８０における係合部８６の鉤部８４,８４が、係合孔５９に整合して挿通するに至る。このもとで両回動施錠具８０,８０を左右何れかに９０度回動することにより、縦長方形状の係合孔５４,５９に対して鉤部８４,８４が横長方形姿勢に変位し、該係合孔５４,５９に対して係合部８６,８６が係合される。このとき、第１保持台５０と第１支持部６４、第２保持台５５と第２支持部７０は、夫々の回動施錠具８０,８０における係着盤８２と鉤部８４,８４とにより、適宜の押圧力が付加された状態で密着的に係着され、裏セット部材２０に対して保護ケースＣが、がたつきが全くない状態でセット保持される。これにより図柄表示装置１４を内蔵保護した保護ケースＣが、ビスや工具等を一切不要にして手早く簡単に組付けセットし得、そして適正姿勢に安定良く保持できる。
【００２２】
一方保護ケースＣの組外しについては、セット台部Ｂの各保持台５０,５５に対応の各支持部６４,７０の簡単なロック解除操作により、外側(裏側)ヘ楽に取外しできる。具体例として、第１保持台５０に対する第１支持部６４のロック解除では、回動施錠具８０を左右何れかに９０度回動することにより、係合部８６の鉤部８４,８４が縦長方形姿勢に変位して係合孔５４と整合するようになる。また、第２保持台５５に対する第２支持部７０のロック解除では、回動施錠具８０を左右何れかに９０度回動することにより、係合部８６の鉤部８４,８４が縦長方形姿勢に変位して係合孔５９と整合するようになる。このもとで、保護ケースＣを外側へ引出すことにより、各係合孔５４,５９から対応の回動施錠具８０,８０の係合部８６,８６が抜け出ると共に、嵌合片５２,５２と嵌合孔６６,６６、嵌合片５７,５７と嵌合孔７２,７２との嵌合が解除され、該保護ケースＣと裏セット部材２０とが分離されるに至る。
【００２３】
そして、図柄表示装置１４を内蔵した保護ケースＣを組付けセットしたまま取扱い得る裏セット部材２０では、遊技盤１の製作工程にあって、各種の遊技部品(図１参照)等が装着された後の裏作業において、盤裏面の所定位置に排出カバー体Ａを合わせて手作業または機械作業により各取着片２８をビス止めすることによりセットされて、各樋２３,２４,２５,２６が夫々の遊技部品の出口に連絡されると共に、図柄表示装置１４が表示枠体３の裏側に整合される。また、各種の電気部品に接続される配線を夫々の挿通保持部３７に保持するもとで、設置部３１に設置された中継基板に接続し得る。このような裏セット部材２０のセット状態において、セーフ球の排出態様等を観ると、上部の入賞具４に入ったセーフ球は、上の横樋２３の通路２３ａから右の縦樋２６の通路２６ａに通出され、普通入賞具７,７に入ったセーフ球は、左右の縦樋２５,２６の通路２５ａ,２６ａに通出される。そして各縦樋２５,２６に通出された夫々のセーフ球は、緩衝片２９,２９により好適に減勢されて衝撃緩和された状態で落下し、また始動入賞具６に入ったセーフ球は、下の横樋２４の通路２４ａから左の縦樋２５側へ案内されて検出スイッチ１８を通過して落下する。
【００２４】
【第１別形態例】
図１４は、回動施錠具の第１別形態例を示す概略斜視図であり、この回動施錠具８８では、合成樹脂成形されて指先操作し得る摘み形態として、回動操作用の摘み部８９と、円錐吸盤状の係着盤９０と、該係着盤９０から延出した支軸９１の先端部に幅広の鉤部９２が成形された係合部９３で形成されている。また、この回動施錠具８８の形態に対応して、前記係合孔５４,５９および支持孔６８,７４は、図１５に示すように、前記支軸９１に対応した円形部９４と鉤部に対応した平行部９５,９５を該円形部９４の両側に形成した形状となっている。また、前記係合孔５４,５９および支持孔６８,７４は、図１６に示すように、前記円形部９４に対する平行部９５,９５の延出向きを同一に設定してある。従って、この第１別形態例の回動施錠具８８では、裏セット部材２０に対して保護ケースＣを位置決めし、セット台部Ｂの各保持台５０,５５に対して各支持部６４,７０を当接させることにより整合した前記係合孔５４,５９および支持孔６８,７４に係合部９３を挿通し、摘み部８９を把持して左右何れかに９０度回動させることで係合させるようになっている。すなわち回動施錠具８８は、前記保護ケースＣにおける第１支持部６４の支持孔６８と第２支持部７０の支持孔７４に、予じめ組付けておくようにはなっていない。なお、この回動施錠具８８においても、前記第１保持台５０と第１支持部６４、第２保持台５５と第２支持部７０は、夫々の回動施錠具８８における前記係着盤９０と鉤部９２の弾性的な係合作用と、前記嵌合片５２と嵌合孔６６、嵌合片５７と嵌合孔７２の夫々の嵌合作用の下に、密着的に押圧させた状態で極めて好適に係着され、保護ケースＣは裏セット部材２０に対してがたつきが全くない状態でセット保持される。
【００２５】
【第２別形態例】
図１７は、回動施錠具の第２別形態例を示す概略斜視図であり、この回動施錠具９７では、合成樹脂成形されて指先操作し得る摘み形態として、回動操作用の摘み部９８と、円錐吸盤状の係着盤９９と、該係着盤９９から延出した支軸１００の先端部に幅広の鉤部１０１,１０１および両鉤部１０１,１０１の近接を許容するスリット１０２が成形された係合部１０３で形成されている。また、この回動施錠具９７の形態に対応して、前記係合孔５４,５９および支持孔６８,７４は、図１８に示すように、前記鉤部１０１,１０１の長手方向寸法より若干小さく設定した長方形状に形成されていると共に、図１９に示すように、縦長となる向きで互いに整合するよう設定してある。従って、この第２別形態例の回動施錠具９７では、裏セット部材２０に対して保護ケースＣを位置決めし、セット台部Ｂの各保持台５０,５５に対して各支持部６４,７０を当接させることにより整合した前記係合孔５４,５９および支持孔６８,７４に係合部１０３を押込んで挿通し、摘み部９８を把持して左右何れかに９０度回動させることで係合させるようになっている。すなわち回動施錠具９７は、前記保護ケースＣにおける第１支持部６４の支持孔６８と第２支持部７０の支持孔７４に、予じめ組付けておくようにはなっていない。なお、この回動施錠具９７においても、前記第１保持台５０と第１支持部６４、第２保持台５５と第２支持部７０は、夫々の回動施錠具９７における前記係着盤９９と鉤部１０１,１０１の弾性的な係合作用と、前記嵌合片５２と嵌合孔６６、嵌合片５７と嵌合孔７２の夫々の嵌合作用の下に、密着的に押圧させた状態で極めて好適に係着され、保護ケースＣは裏セット部材２０に対してがたつきが全くない状態でセット保持される。
【００２６】
前記第２別形態例の回動施錠具９７では、前記鉤部１０１,１０１における係着盤９９を指向する外端部にテーパが形成され、該テーパが係合孔５４,５９および支持孔６８,７４から鉤部１０１,１０１を抜き外す際の案内となって容易に抜き外し得るよう構成されている。なお、第１別形態例および第２別形態例において、前記係合孔５４,５９と支持孔６８,７４との向きを９０度変更し、回動施錠具８８,９７を、前記保護ケースＣに予じめ組付けておくようにすることも可能である。
【００２７】
本発明の対象とする裏セット部材は、パチンコ機の他にアレンジボール機の遊技盤にも好適に使用し得、各種の入球用部品に入って裏側へ通出される遊技球の所定位置や特定検出位置への排出案内と、盤裏面の中央部に装備される主要遊技部品の組付けセットを図ることが可能である。何れの遊技盤に使用される裏セット部材にあっても、遊技盤裏面に対して開閉(横開き)可能に取着される形態であってもよい。また実施例では、セット台部Ｂにおける各保持台５０,５５と、保護ケースＣの各支持部６４,７０との係合形態として、夫々２組ずつの嵌合片と嵌合孔、および１組ずつの回動施錠具を形成したものを例示したが、特に嵌合片と嵌合孔は左右１組ずつとしてもよい。また、これら嵌合片と嵌合孔の配設位置や回動施錠具の配設位置に関しても、前記実施例に示したものに限定されるものではなく、例えば回動施錠具を上方に配設すると共に嵌合片および嵌合孔を下方に形成したり、回動施錠具を下方に配設すると共に嵌合片および嵌合孔を上方に形成する等、保護ケースＣと裏セット部材２０とが好適にセット保持し得ることを前提とした様々な形態が実施し得る。そしてセット台部にセットされる主要な遊技部品については、前述した図柄表示装置１４の他に、図柄ドラム(絵柄リール)式の図柄表示装置や大型の電動式入賞装置の裏側部品あるいは図柄組合わせ表示装置の裏側部分等が対象とされる。
【００２８】
【発明の効果】
以上に説明した如く、本発明に係るパチンコ遊技機用の裏セット部材によれば、排出カバー体の窓口の左右両側に一体に成形したセット台部に、主要な遊技部品を内蔵したケース体の両側に形成した支持部を整合させ、該支持部に組付けた回動施錠具の係合部を該セット台部に形成した係合部に係合させることにより、裏セット部材に対してケース体を、ビスや工具等を一切不要にして手早く簡単に組付けセットし得る。従って、主要な遊技部品を内蔵したケース体を予じめ取着セットした１つのユニット化部材として取扱い得ると共に、遊技盤への取付けには、手作業の他に機械的(自動的)な組付けも可能となり、組付け作業の簡素化を図り得る。また、主要な遊技部品の点検や交換等に際しては、セット台部に対するケース体の簡単なロック解除操作のみで取外しでき、保守・点検の合理化をなし得る、等の効果を奏する。
【図面の簡単な説明】
【図１】本発明が実施されるパチンコ機を概略で示す背面図である。
【図２】本発明の実施例に係るパチンコ機の遊技盤を例示する正面図である。
【図３】裏セット部材をセットした遊技盤を例示する背面図である。
【図４】裏セット部材をケース体をセット保持した状態で示す正面図である。
【図５】図４中のＸ−Ｘ線に基づく断面図である。
【図６】セット台部の嵌合部とケース体における支持部の嵌合部との嵌合状態を示す要部拡大断面図である。
【図７】セット台部の係合部とケース体における支持部に組付けた回動施錠具の係合部との係合状態を示す要部拡大断面図である。
【図８】セット台部、ケース体、主要遊技部品(図柄表示装置)の一部を裏側から示す斜視図である。
【図９】回動施錠具を示す概略斜視図である。
【図１０】支持部の係合部に対する回動施錠具の係合部の整合状態と係合状態とを示す説明図である。
【図１１】セット台部の係合部に対する回動施錠具の係合部の整合状態と係合状態とを示す説明図である。
【図１２】回動施錠具の係合部とセット台部の係合部との整合状態を示す横断平面図である。
【図１３】回動施錠具の係合部とセット台部の係合部との係合状態を示す横断平面図である。
【図１４】第１別形態例に係る回動施錠具を示す概略斜視図である。
【図１５】第１別形態例の回動施錠具の係合部とセット台部の係合部との整合状態および係合状態とを示す説明図である。
【図１６】第１別形態例の回動施錠具の係合部とセット台部の係合部との係合状態を示す横断平面図である。
【図１７】第２別形態例に係る回動施錠具を示す概略斜視図である。
【図１８】第２別形態例の回動施錠具の係合部とセット台部の係合部との整合状態および係合状態とを示す説明図である。
【図１９】第２別形態例の回動施錠具の係合部とセット台部の係合部との係合状態を示す横断平面図である。
【符号の説明】
１  遊技盤
４  入賞具(遊技部品)
６  始動入賞具(遊技部品)
７  普通入賞具(遊技部品)
１４  図柄表示装置(主要な遊技部品)
２２  窓口
２３  上の横樋(排出樋)
２４  下の横樋(排出樋)
２５  左の縦樋(排出樋)
２６  右の縦樋(排出樋)
５０  第１保持台
５２  嵌合片(嵌合部)
５４  係合孔(係合部)
５５  第２保持台
５７  嵌合片(嵌合部)
５９  係合孔(係合部)
６１  前ケース部
６２  後ケース部
６４  第１支持部
６６  嵌合孔(嵌合部)
７０  第２支持部
７２  嵌合孔(嵌合部)
８０,８８,９７  回動施錠具
８６,９３,１０３  係合部
Ａ  排出カバー体
Ｂ  セット台部
Ｃ  保護ケース(ケース体)
【図１】
0003975413.tif 000002
【図２】
0003975413.tif 000003
【図３】
0003975413.tif 000004
【図４】
0003975413.tif 000005
【図５】
0003975413.tif 000006
【図６】
0003975413.tif 000007
【図７】
0003975413.tif 000008
【図８】
0003975413.tif 000009
【図９】
0003975413.tif 000010
【図１０】
0003975413.tif 000011
【図１１】
0003975413.tif 000012
【図１２】
0003975413.tif 000013
【図１３】
0003975413.tif 000014
【図１４】
0003975413.tif 000015
【図１５】
0003975413.tif 000016
【図１６】
0003975413.tif 000017
【図１７】
0003975413.tif 000018
【図１８】
0003975413.tif 000019
【図１９】
0003975413.tif 000020